(57)【要約】【課題】簡便かつ短時間で耳たぶに着脱できるとともに、装着状態で耳たぶからの離脱を確実に防止できるピアスイヤリングを提供する。【解決手段】装飾部１２と、耳たぶＥのピアス孔を挿通して先端側を該ピアス孔から突出させるピアスピン１４と、装飾部１２との間で耳たぶＥを挟装してピアスピンの突出側と協働して装飾部の離脱を防止する状態（Ｌ）と、ピアスピン１４を耳たぶＥのピアス孔に対して挿脱自在としかつ装飾部１２を耳たぶから離脱自在とする状態と、に選択的に切り換え可能なロック片１６と、を有し、装飾部１２をベースとして回動枢着されるとともに、装飾部１２との間で耳たぶを挟装して離脱防止状態とする際に、予め設定された回動終端位置で回動規制する回動終端位置決め装置１８を備えたピアスイヤリング１０から構成される。【選択図】図１
2008295841.tif 000002
【特許請求の範囲】
【請求項１】
装飾部と、
装飾部に連結され、耳たぶのピアス孔を挿通して先端側を該ピアス孔から突出させるピアスピンと、
装飾部との間で耳たぶを挟装してピアスピンの突出側と協働して装飾部の離脱を防止する状態と、ピアスピンを耳たぶのピアス孔に対して挿脱自在としかつ装飾部を耳たぶから離脱自在とする状態と、に選択的に切り換え可能なロック片と、を有し、
ロック片が装飾部に、あるいは装飾部をベースとして回動枢着されるとともに、装飾部との間で耳たぶを挟装して離脱防止状態とする際に、予め設定された回動終端位置で回動規制する回動終端位置決め装置を備えたことを特徴とするピアスイヤリング。
【請求項２】
ロック片の枢支軸回りの回動操作のみでロック片を回動終端位置に変位させて装飾部との間で耳たぶを挟装離脱防止状態とすることを特徴とする請求項１記載のピアスイヤリング。
【請求項３】
ロック片の枢支軸との係合部分が弾発付勢力により可動となっており、
その枢支軸回りの回動操作時に該弾発力を介して装飾部の離脱防止状態と耳たぶからの離脱自在状態とを二者択一的に切り換えることを特徴とする請求項２記載のピアスイヤリング。
【請求項４】
ロック片はピアスピンの先端側を遊挿状に貫通させる大孔部を有し、その脚部が枢支軸に枢支された略Ｃ字形線条部材からなり、
ロック片の回動終端位置決め装置は、ロック片の回動を行わせるべく該ロック片と不安定に係合する不安定係合部とロック片の回動を規制する安定係合部とを一体的に備えた支持体を有することを特徴とする請求項３記載のピアスイヤリング。
【請求項５】
ロック片は装飾部から耳たぶの厚み方向に突設された支持体に枢着されていることを特徴とする請求項１ないし４のいずれかに記載のピアスイヤリング。
【発明の詳細な説明】
【技術分野】
【０００１】
本発明は、耳たぶに設けられたピアス孔を介して装着されるピアスイヤリングに関する。
【背景技術】
【０００２】
従来のピアスイヤリングは、耳たぶに設けられた貫通孔に挿通されるピンと、このピンの先端部に貫通孔の反対側で係止されてピンを抜け止めするキャッチと、を備えている。例えば、特許文献１には、この種のピアスイヤリング用留め金具（キャッチ）が開示されている。特許文献１のピアスイヤリング用留め金具は、例えば、ピンの挿通孔を備えたアーチ状断面の止め金具本体と、所定の間隙を有して対向する保持部を有する線条のバネ材と、で構成され、止め金具本体の周囲に設けた折返し部に線条のバネ材の端部を係合し、耳たぶの孔に挿通したピンを止め金具本体のピン挿通孔からはめ込み、線条のバネ材の保持部にピンの先端に設けた周溝を係合させて抜け止めするようにしたものであった。
【特許文献１】特開２００２−３４６１９号公報
【発明の開示】
【発明が解決しようとする課題】
【０００３】
しかしながら、特許文献１に示すような従来の、耳たぶの孔に挿通したピンにキャッチを係止させてピンの抜け止めをするタイプのピアスイヤリングでは、耳の裏側といった装着者自身では見えない位置で、小さなキャッチを指先でつまみつつ、該キャッチの小さな孔とピンの先端とを位置合わせして装着させる必要があるものであった。したがって、見えない位置での手探り操作であるにもかかわらず細かな操作が要求される煩わしいものであり、例えば、１回の装着操作でうまく装着できず何回もやり直したり、又は装着中にキャッチを落としたりしてしまい、簡単な操作で短時間に装着することは困難なものであった。さらに、ピンを含むピアスイヤリング本体とキャッチとが分離されているので、保管、管理も煩雑であり、特に小さなキャッチを紛失するおそれがあった。
【０００４】
本発明は上記従来の課題に鑑みてなされたものであり、その一つの目的は、簡便かつ短時間で耳たぶに着脱できるとともに、装着状態で耳たぶからの離脱を確実に防止しつつ、また、保管管理も楽であるピアスイヤリングを提供することにある。
【課題を解決するための手段】
【０００５】
上記課題を解決するために本発明は、装飾部１２と、装飾部１２に連結され、耳たぶＥのピアス孔を挿通して先端側（１４ａ）を該ピアス孔から突出させるピアスピン１４と、装飾部１２との間で耳たぶＥを挟装してピアスピンの突出側（１４ａ）と協働して装飾部の離脱を防止する状態（Ｌ）と、ピアスピン１４を耳たぶＥのピアス孔に対して挿脱自在としかつ装飾部１２を耳たぶから離脱自在とする状態（Ｍ）と、に選択的に切り換え可能なロック片１６と、を有し、ロック片１６が装飾部１２に、あるいは装飾部１２をベースとして回動枢着されるとともに、装飾部１２との間で耳たぶを挟装して離脱防止状態とする際に、予め設定された回動終端位置Ｐで回動規制する回動終端位置決め装置１８を備えたことを特徴とするピアスイヤリング１０から構成される。ロック片１６は、装飾部１２に直接的に回動枢着されていてもよく、装飾部１２に取り付けた他の部材を介して回動枢着されていても良い。ロック片１６に装飾が施してあっても良い。回動終端位置決め装置１８は、少なくともロック片を離脱防止状態となる回動終端位置Ｐで回動規制するように設けられていればよく、離脱自在状態となる回動位置のうち任意の位置（Ｑ）で回動規制するように設けても良い。回動終端位置決め装置１８は、ロック片１６の回動枢着構成と一体的に設けられていても良く、回動枢着構成とは別の部材構成としてもよい。
【０００６】
また、ロック片１６の枢支軸２２回りの回動操作のみでロック片１６を回動終端位置Ｐに変位させて装飾部１２との間で耳たぶＥを挟装離脱防止状態（Ｌ）とすることとしてもよい。
【０００７】
また、ロック片１６の枢支軸２２との係合部分が弾発付勢力により可動となっており、その枢支軸２２回りの回動操作時に該弾発力を介して装飾部１２の離脱防止状態（Ｌ）と耳たぶＥからの離脱自在状態（Ｍ）とを二者択一的に切り換えることとしてもよい。
【０００８】
また、ロック片１６はピアスピン１４の先端側（１４ａ）を遊挿状に貫通させる大孔部２４を有し、その脚部２８が枢支軸に枢支された略Ｃ字形線条部材からなり、ロック片１６の回動を行わせるべく該ロック片と不安定に係合する不安定係合部（３４）とロック片１６の回動を規制する安定係合部（３２）とを一体的に備えた支持体２０を有することとしてもよい。
【０００９】
また、ロック片１６は装飾部１２から耳たぶＥの厚み方向に突設された支持体２０に枢着されていることとしてもよい。
【発明の効果】
【００１０】
本発明のピアスリングによれば、装飾部と、装飾部に連結され、耳たぶのピアス孔を挿通して先端側を該ピアス孔から突出させるピアスピンと、装飾部との間で耳たぶを挟装してピアスピンの突出側と協働して装飾部の離脱を防止する状態と、ピアスピンを耳たぶのピアス孔に対して挿脱自在としかつ装飾部を耳たぶから離脱自在とする状態と、に選択的に切り換え可能なロック片と、を有し、ロック片が装飾部に、あるいは装飾部をベースとして回動枢着されるとともに、装飾部との間で耳たぶを挟装して離脱防止状態とする際に、予め設定された回動終端位置で回動規制する回動終端位置決め装置を備えたことから、例えば、耳たぶの裏側といった見えない位置での細かな位置合わせ等の煩雑な操作を不要とし、ピアスピンをピアス孔に挿通した後はロック片を回動させるといった簡単な操作だけでピアスイヤリングを耳たぶに短時間で確実に装着することができ、使い勝手が良い。同様に、ピアスイヤリングを外す際にも、ロック片を回動させるだけで簡便に離脱操作を行える。さらに、ピアスイヤリングは装飾部の離脱防止をするロック片が常に連結されているので、離脱防止用のロック片を紛失するおそれがなく、保管管理を簡単に行える。
【００１１】
また、ロック片の枢支軸回りの回動操作のみでロック片を回動終端位置に変位させて装飾部との間で耳たぶを挟装離脱防止状態とすることから、ロック片を片手での簡単なワンタッチ状の回動操作だけで離脱防止状態に切り換えできるので、操作性をより向上させることができる。
【００１２】
また、ロック片の枢支軸との係合部分が弾発付勢力により可動となっており、その枢支軸回りの回動操作時に該弾発力を介して装飾部の離脱防止状態と耳たぶからの離脱自在状態とを二者択一的に切り換えることから、例えば、ロック片の弾発付勢力を利用して、離脱防止状態と離脱自在状態とを簡便に切り換えることができるので操作性がよい。さらに、耳たぶに装着させた際には、弾発付勢力を介して離脱防止状態を良好に保持できる。
【００１３】
また、ロック片はピアスピンの先端側を遊挿状に貫通させる大孔部を有し、その脚部が枢支軸に枢支された略Ｃ字形線条部材からなり、ロック片の回動終端位置決め装置は、ロック片の回動を行わせるべく該ロック片と不安定に係合する不安定係合部とロック片の回動を規制する安定係合部とを一体的に備えた支持体を有することから、弾発付勢力を有するロック片及び回動終端位置決め装置を簡単な構成で具体的に実現できるとともに、不安定係合部ではロック片を回動終端位置へ向けて回動を行わせやすく、安定係合部では回動終端位置で安定的に回動規制できるので、各状態の切り換え操作をスムーズに行ないやすく、かつ離脱防止状態を確実に保持できる。さらに、ロック片の大孔部はピアスピンの先端側を遊挿状に貫通させるので、ピアスピンの先端が邪魔になることなくロック片の回動を確実に行え、ピアスピンがロック片を貫通して突出してピアスピンの突出側とロック片とを確実に協働させて装飾部の耳たぶからの離脱を防止する構成を具現できる。また、ロック片が耳たぶのある程度広い範囲に当着するので、ピアスピンと協働して離脱防止する際に装飾部等の重量負荷がある程度分散され、装飾部の重量による耳の局所に痛みが生じたり、装飾部の上部が前方向へ傾斜して見栄えが悪くなるのを防止できる。その結果、装飾部をある程度重量があるものでも適用でき、様々な装飾態様で製造できる。
【００１４】
また、ロック片は装飾部から耳たぶの厚み方向に突設された支持体に枢着されていることから、装飾部とロック片との間に耳たぶを収容する間隙を形成しつつ装飾部をベースとした枢着構成を具体的に実現できる。さらに、ロック片を回動操作する際に耳たぶ等に当たって邪魔になったり、回動枢着部分で耳たぶの端を不意に挟んで怪我することがなく、スムーズにロック片を回動させ得る。
【発明を実施するための最良の形態】
【００１５】
以下、添付図面を参照しつつ本発明のピアスイヤリングの実施の形態を説明する。本発明のピアスイヤリングは、耳たぶにピアス孔をあけて装着される耳飾りであり、ピアス孔にピアスピンを挿通させた後にワンタッチで簡便に着脱することができる。図１ないし図９は、本発明のピアスイヤリングの一実施形態を示している。本実施形態において、図１、図２、図３に示すように、ピアスイヤリング１０は、装飾部１２と、ピアスピン１４と、ロック片１６と、を有しており、ロック片１６が装飾部１２をベースとして回動枢着されている。
【００１６】
装飾部１２は、例えば、種々の意匠的な細工が施されたり、貴金属、宝石等が一体的に埋め込まれたりした装飾本体部分を有しており、耳たぶＥにあけたピアス孔に挿通されるピアスピン１４と連結されている。本実施形態では、図１、図２に示すように、装飾部１２は、例えば、縦横にある程度の大きさで設けられており、意匠細工等が形成される装飾本体を表側として形成され、その裏側に耳たぶに当着される略平面状の当着部が形成されるとともに該裏側にピアスピン１４が一体的に連結されている。なお、装飾部１２の形状、大きさ、装飾態様等は任意でよく、例えば、チェーン等で装飾本体を吊支して装飾本体と基部とを分割したもの等その他の態様でよい。ピアスピン１４は、装飾部１２の裏側から横方向、すなわち耳たぶの厚み方向に向けて突設される細径の金属ピンからなり、耳たぶＥのピアス孔を挿通して装飾部１２を耳たぶＥに装着させる。本実施形態では、ピアスピン１４は、耳たぶの厚みより十分に長く設定されており、耳たぶＥのピアス孔を挿通してその先端側１４ａを該ピアス孔から突出させるようになっている。
【００１７】
図１、図３、図４に示すように、ロック片１６は、装飾部１２との間で耳たぶＥを挟装しつつピアスピン１４の突出側１４ａと協働して装飾部１２の耳たぶからの離脱を防止するロック手段である。ロック片１６は、例えば、装飾部１２をベースとして回動枢着されており、本実施形態では、装飾部１２から耳たぶの厚み方向、すなわちピアスピン１４の突出方向と同じ方向に突設された支持体２０を介して回動枢着されている。ロック片１６は、図３に示すように、支持体２０に設けられる水平方向に軸心を設定された枢支軸２２周りに回動し、予め設定された回動終端位置Ｐにおいて装飾部１２との間で耳たぶを挟装してロック状に離脱を防止する離脱防止状態Ｌ（図３上、実線１６）と、該ロックを解除してピアスピン１４を耳たぶＥのピアス孔に対して挿脱自在としかつ装飾部１２を耳たぶＥから離脱自在とする離脱自在状態Ｍ（図３上、２点鎖線１６）と、に選択的に切り換え可能に構成されている。すなわち、本実施形態では、ロック片１６と該ロック片を回動自在に支持する支持体２０とにより、装飾部の離脱防止状態と離脱自在状態とを選択的に切り替える回動ロック装置を構成しており、装飾部とピアスピンとを含むピアスイヤリング本体とその耳たぶからの抜け止め機構とを一体的に組み付けて構成している。ロック片１６は、離脱防止状態とする際に、回動終端位置決め装置１８により予め設定された回動終端位置Ｐで回動規制される。なお、ロック片１６は、支持体等の他の部材を介さず装飾部１２に直に回動枢着されていてもよい。
【００１８】
図１、図２、図４に示すように、ロック片１６は、本実施形態では、装飾部１２との間に耳たぶＥを挟むようにある程度の間隙をあけて対向離隔配置されるように支持体２０に枢支されている。ロック片１６は、例えば、断面略円形の１つの金属線条部材を曲成して形成されており、具体的には、図２に示すように、ロック片１６は、ピアスピン１４の先端側を遊挿状に貫通させる大孔部２４を形成するように略Ｃ字形状に曲成されて装飾部１２との間で耳たぶを裏側から挟装する際の押え部２６と、該略Ｃ字形状の押え部の両端部から縦方向に延設されて枢支軸２２に連結される一対の脚部２８と、を含む略Ｃ字形線条部材からなる。さらに、ロック片１６をなす略Ｃ字形線条部材は、装飾部１２の離脱防止状態での側面視で、縦方向に延びる脚部２８より耳たぶに当着される押え部２６の位置が装飾部１２に近接するように曲成されており、ロック片１６が装飾部１２との間に耳たぶＥを挟装する状態で、耳たぶのピアス孔を挿通したピアスピン１４の先端１４ａが押え部２６の位置よりも貫通方向後方に向けて突出するようになっている。これによって、ロック片１６は、耳たぶを挿通したピアスピン１４の先端側とも協働し、該耳たぶを挟装した状態での離脱防止状態を確実に保持することができる。本実施形態では、ロック片１６は、大孔部２４を有しており、かつ押え部２６が耳たぶをピアスピンの挿通位置からある程度離隔した部位である程度広い範囲を押えるようになっているので、従来のキャッチのように局所的に耳たぶのピアス孔近傍に当たることもなく装飾部１２の重量をある程度分散させることができる。従って、従来のピアスキャッチのように細径のピンとキャッチ側の孔との位置合わせ等も一切不要であるとともに、ある程度重量のある装飾部を形成した場合でも、耳に局所的な痛みが生じたり、装飾部の重さで上部側が前のめり状に傾斜して見栄えが悪くなることを防止できる。本実施形態では、図５にも示すように、ロック片１６の脚部２６に横方向に貫通された孔が設けられており、該孔に支持体２０に支持された枢支軸２２を挿通させて、回動自在に係合されている。
【００１９】
図８にも示すように、上述のようにロック片１６は略Ｃ字形線条部材からなるのでその弾性付勢力により枢支軸２２と係合される脚部２６を近接離開、すなわち脚部どうしの対向幅を縮小拡大させるように可動する。本実施形態では、ロック片１６の弾発付勢力により脚部３０は外側に拡大するような付勢力となっている。このロック片１６の弾発付勢力と支持体２０とが協働して、回動終端位置決め装置１８及び、ロック片１６の回動操作に伴って弾発力を介して離脱防止状態と離脱自在状態とを二者択一的に切り換える構成を実現している。なお、ロック片１６は任意形状でよく、円形、楕円形、角丸多角形状に近い形状の線条部材等任意でよい。また、ロック片は、例えば、任意形状の板片部材や立体的なブロック片でもよい。また、ロック片は、枢支軸と一体的に設けられていても良く、例えば、略Ω字形線条部材からなることとしても良い。
【００２０】
図３、図４、図６に示すように、本実施形態では、支持体２０は、例えば、金属板状部材からなり、装飾部１２の裏側のピアスピン１４の位置より下方にある程度離隔した位置から耳たぶ厚み方向に向けて突設されて一体的に固定されている。支持体２０の突出長さは、例えば、側面視でピアスピン１４の長さと略同じ程度に設定されている。本実施形態では、支持体２０は、突出先端側の幅方向中間部分を装飾部側に向けて凹設され二股状に形成されている。支持体２０の二股状の各突出部分先端側に互いに対向する筒状部３０が形成されており、該筒状部３０の横方向に貫通する孔に枢支軸２２が軸心を横方向として係合されている。該２つの筒状部３０の対向間隙内にロック片１６の脚部２８を収容した状態で、該枢支軸２２を脚部２８に貫通させて該枢支軸２２にロック片１６の脚部２８が係合されている。筒状部３０に支持される枢支軸２２は、図１、図５に示すように、例えば、細径の金属杆からなり、支持体２０の筒状部３０内に挿通された状態で金属杆の両端側を曲げて抜け止めされている。なお、枢支軸２２は支持体２０や装飾部１２と一体固定的に設けてもよい。
【００２１】
図６、図７に示すように、本実施形態では、支持体２０は、ロック片１６の弾発付勢力により、筒状部の対向間隙内に収容した該ロック片１６の脚部２８が筒状部３０の対向内側端面に常に接摺される状態となるが、該筒状部３０の対向内側端面にはロック片１６の回動終端位置Ｐでロック片１６の回動を規制する凹部３２が形成されている。凹部３２は、縦方向に向けて長い略半円柱状に凹設された凹溝からなり、ロック片１６の脚部２８が縦方向となる回動位置、すなわち、ロック片１６が装飾部１２との間で耳たぶＥを挟装して離脱防止状態Ｌとなるように上方側に縦に立てた回動位置（図３上、実線１６）を回動終端位置Ｐとし、その位置からロック片が１８０度回動して耳たぶから離脱自在状態Ｍとなる回動位置Ｑ（図３上、二点鎖線１６）を他の回動終端位置Ｑとし、２つの回動終端位置においてロック片１６の弾発付勢力により外側拡大方向に付勢される脚部２８の一部を凹部３２内に嵌合状に収容することで該ロック片１６を回動規制する。すなわち、凹部３２はロック片１６の回動を規制する安定係合部であり、該凹部３２を有する支持体２０は回動終端位置Ｐでロック片１６を回動規制する回動終端位置決め装置１８を構成している。
【００２２】
一方、筒状部３０の凹部３２以外の端面部分３４は不安定係合部となっており、該不安定係合部では、凹部との嵌合状の係合を解除したロック片１６の弾発付勢力による脚部の外側への拡大方向への付勢力と協働して、ロック片１６の枢支軸２２周りの回動を行わせるべく該ロック片と不安定に係合する不安定係合状態となる。具体的には、回動終端位置Ｐでのロック片１６と凹部３２との安定係合状態、すなわち装飾部の離脱防止状態Ｌから枢支軸２２周りに例えば手で強制的に回動操作すると、図８に示すように、該ロック片１６の弾発付勢力に抗して脚部２８どうしが互いに幅を縮小するように変形されつつ、該脚部２８が支持体の筒状部３０の凹部３２から離脱して不安定係合状態となる。この不安定係合状態では、手での回動操作力を解除するとロック片１６の脚部２８の拡大方向への付勢力を介して脚部が凹部内へ収容される安定係合状態へ戻ろうとして、筒状部の凹部３２の縁に案内されるように脚部２８が該筒状部の端面に沿って自然と枢支軸周りに回動しやすくなる。なお、本実施形態では、不安定係合部は、ロック片１６を離脱防止状態となる回動終端位置Ｐから９０度回動させた回動位置（図３上、一点鎖線１６）より上方側では、上方に向けてすなわち離脱防止状態となる回動終端位置Ｐ（図３上、実線１６）に向けてロック片１６の回動を促し、一方、９０度の回動位置より下方側の位置では、離脱自在状態である下方側の他の回動終端位置Ｑ（図３上、二点鎖線１６）に向けてロック片１６が回動を促すようになっている。すなわち、支持体２０は、ロック片の回動枢着構造とともに回動終端位置決め装置１８を構成しており、ロック片の回動を行わせるべく該ロック片と不安定に係合する不安定係合部（３４）とロック片の回動を規制する安定係合部（３２）とを一体的に備えている。
【００２３】
このように、支持体２０に安定係合部に連続して不安定係合部が形成されるとともにロック片の弾発付勢力と相俟って、ロック片１６の枢支軸２２周りの回動操作のみで、脚部と凹部とが嵌合状に係合した安定係合状態と、その状態から解除した不安定係合状態と、をスムーズに切り換え可能としており、ロック片１６の枢支軸周りの回動操作のみで該装飾部の離脱防止状態と耳たぶからの離脱自在状態とを選択的に切り換える構成を具現している。なお、本実施形態では、支持体２０に凹部３２を形成してロック片を回動終端位置Ｐで回動規制する回動終端位置決め装置の構成としたが、支持体に凸部を設けてロック片の回動を規制する構成としてもよく、その他回動を規制する構成であれば任意でよい。また、本実施形態では、支持体２０の二股状の突出先端側をロック片の脚部を枢着させたが、これに限らず、例えば、支持体２０の突出先端側に筒状部を１つのみ形成させてロック片の脚部を跨らせた状態で枢着させるとともに１つの筒状部の両外側に凹部を形成させるようにしてもよく、その他任意の構成でもよい。また、実施形態では、ロック片１６側に弾発付勢力を有する構成としたが、例えば、支持体２０に弾発付勢力を備えて筒状部３０等のロック片との係合部分を可動させるように構成してもよい。
【００２４】
本実施形態のピアスイヤリング１０を耳たぶＥに装着する際には、ロック片１６を弾性付勢力に抗して、図３の二点鎖線に示すようにロック片１６を下方に向くように回動して、大孔部をピアスピン１４から離脱させて離脱自在状態にする。この際、ロック片１６の脚部２８は支持体２０の凹部３２と係合して回動規制されており、ロック片が邪魔になることなく、耳たぶＥのピアス孔にピアスピン１４を簡単に挿通操作できる。耳たぶのピアス孔にピアスピン１４を挿通した後に、例えば片手でロック片１６を枢支軸２２周りに回動させると、ロック片１６は弾発付勢力に抗してその脚部は凹部から解除して不安定係合状態を経過して、図３の実線に示すように１８０度反転しロック片１６が耳たぶに当接する回動終端位置Ｐで再びロック片１６の弾発付勢力により該脚部が凹部に嵌まり込み回動が規制される。この回動終端位置Ｐでは、ロック片１６と装飾部との間で耳たぶを挟装するとともに、ピアスピン１４がロック片１６の大孔部２４内を貫通して後方側に突出して該ピアスピン１４とロック片１６とが協働しており、装飾部の離脱を確実に防止する離脱防止状態となる。したがって、従来のように、見えない位置での細径のピンとキャッチの細孔との位置合わせといった煩わしい作業を不要とし、ピアスピンを挿通した後には片手でロック片を回動させるといった簡単な操作だけでピアスイヤリングを耳たぶに短時間で確実に装着することができる。同様に、ピアスイヤリングを外す際にも、ロック片を枢支軸周りに回動させて簡単に離脱自在状態として、簡単に耳たぶから外すことができる。さらに、装飾部の離脱防止をするロック片は装飾部と連結されているので、従来のピアスのように細かなキャッチを紛失することもなく、保管管理を簡単に行える。
【００２５】
以上説明した本発明のピアスイヤリングは、上記した実施形態のみの構成に限定されるものではなく、特許請求の範囲に記載した本発明の本質を逸脱しない範囲において、任意の改変を行ってもよい。
【産業上の利用可能性】
【００２６】
本発明のピアスイヤリングは、例えば、種々の装飾が施されたピアスイヤリングに有効に適用できる。
【図面の簡単な説明】
【００２７】
【図１】本発明のピアスイヤリングの実施形態の側面図である。
【図２】図１のピアスイヤリングの背面図である。
【図３】図２のＡ−Ａ線断面拡大図及び作用説明図である。
【図４】図１のＢ−Ｂ線断面拡大図である。
【図５】図１のピアスイヤリングの斜視図である。
【図６】支持体の平面図である。
【図７】図６のＣ−Ｃ線断面図である。
【図８】図１の状態からロック片を９０度回転させた状態での一部省略平面図及び作用説明図である。
【符号の説明】
【００２８】
１０    ピアスイヤリング
１２    装飾部
１４    ピアスピン
１６    ロック片
１８    回動終端位置決め装置
２０    支持体
２２    枢支軸
２４    大孔部
２８    脚部
３０    筒状部
３２    凹部
Ｅ    耳たぶ
Ｐ    回動終端位置
【図１】
2008295841.tif 000003
【図２】
2008295841.tif 000004
【図３】
2008295841.tif 000005
【図４】
2008295841.tif 000006
【図５】
2008295841.tif 000007
【図６】
2008295841.tif 000008
【図７】
2008295841.tif 000009
【図８】
2008295841.tif 000010